(57)【要約】      （修正有）【課題】従来と比較して収納部の容積を増大させることが可能な車両用ドア構造を提供すること。【解決手段】車体の開口を開閉するサイドドア１０を有する車両用ドア構造であって、サイドドア１０は、収納領域Ｒを有するドア収納部２４と、ドアスピーカ２８とを備え、ドアスピーカ２８は、ドア収納部２４より鉛直上下方向において上方に位置し、且つ、サイドドア１０の上下方向（鉛直上下方向と一致）における中央近傍に配置されている。【選択図】図１
2018090149.tif 000002
【特許請求の範囲】
【請求項１】
車体の開口を開閉するドアを有する車両用ドア構造であって、
前記ドアは、収納領域を有する収納部と、スピーカとを備え、
前記スピーカは、前記収納部より上方に位置し、且つ、前記ドアの上下方向における中央近傍に配置されていることを特徴とする車両用ドア構造。
【請求項２】
請求項１記載の車両用ドア構造において、
前記ドアは、車幅方向の内外を貫通する第１作業孔及び第２作業孔と、前記第１作業孔と前記第２作業孔とを仕切る橋部と、前記スピーカが取り付けられるスピーカ取付部とを備え、
前記スピーカ取付部は、前記第１作業孔、前記第２作業孔、及び、前記橋部にそれぞれ近接し、
前記スピーカ取付部は、前記橋部の延長線上に位置することを特徴とする車両用ドア構造。
【請求項３】
請求項１又は請求項２記載の車両用ドア構造において、
前記橋部には、脆弱部が設けられていることを特徴とする車両用ドア構造。
【請求項４】
請求項３記載の車両用ドア構造において、
前記脆弱部は、止水部材が取り付けられる止水ビードであり、
前記止水ビードは、前記橋部と前記スピーカ取付部とを結ぶ仮想線を横切るように配置されていることを特徴とする車両用ドア構造。
【請求項５】
請求項２乃至請求項５のいずれか１項記載の車両用ドア構造において、
前記ドアは、第３作業孔を有し、
前記第３作業孔は、前記橋部を挟んで前記スピーカ取付部と反対側で、且つ、前記橋部の延長線上に配置されていることを特徴とする車両用ドア構造。
【請求項６】
車体の開口を開閉するドアを有する車両用ドア構造であって、
前記ドアは、収納領域を有する収納部と、スピーカとを備え、
前記スピーカは、前記収納部より下方に位置し、且つ、前記ドアの上下方向における中央近傍に配置されていることを特徴とする車両用ドア構造。
【発明の詳細な説明】
【技術分野】
【０００１】
本発明は、車両用ドア構造に関する。
【背景技術】
【０００２】
例えば、特許文献１には、サイドドアが、アームレストの下方に設けられたドアポケット部と、このドアポケット部の車両前方の横方向に設けられたスピーカグリルとを有し、ドアポケット部とスピーカグリルとをそれぞれ横に並列に配置したドア構造が開示されている。
【先行技術文献】
【特許文献】
【０００３】
【特許文献１】特開２０１１−１８９８４３号公報
【発明の概要】
【発明が解決しようとする課題】
【０００４】
ところで、特許文献１に開示されたドア構造では、ドアポケット部とスピーカグリルとが車両上下方向において略同じ高さの位置に配置されている。このため、特許文献１に開示されたドア構造において、例えば、ドアポケット部の収納容積を増大しようとすると、横に存在するスピーカグリルが邪魔となってドアポケット部の十分な収納容積を確保することが困難である。
【０００５】
本発明は、前記の点に鑑みてなされたものであり、従来と比較して収納部の収納容積を増大させることが可能な車両用ドア構造を提供することを目的とする。
【課題を解決するための手段】
【０００６】
前記の目的を達成するために、本発明は、車体の開口を開閉するドアを有する車両用ドア構造であって、前記ドアは、収納領域を有する収納部と、スピーカとを備え、前記スピーカは、前記収納部より上方に位置し、且つ、前記ドアの上下方向における中央近傍に配置されていることを特徴とする。
【発明の効果】
【０００７】
本発明では、従来と比較して収納部の収納容積を増大させることが可能な車両用ドア構造を得ることができる。
【図面の簡単な説明】
【０００８】
【図１】本発明の実施形態に係る車両用ドア構造が適用されたフロントのサイドドアを車室内側から見た側面図である。
【図２】図１のサイドドアが車体に装着された状態において、サイドドアを構成するインナパネルを車室内側の方向から見た側面図である。
【図３】図２のインナパネルに対して収納部インナ等を付設した状態を示す側面図である。
【図４】図１のＩＶ−ＩＶ線に沿った端面図である。
【発明を実施するための形態】
【０００９】
次に、本発明の実施形態について、適宜図面を参照しながら詳細に説明する。
なお、各図中において、「前後」は、車両前後方向、「左右」は、車幅方向（左右方向）、「上下」は、鉛直上下方向をそれぞれ示している。
【００１０】
本実施形態に係る車両用ドア構造が適用されたフロントのサイドドア（ドア）１０は、フロントピラ（Ａピラ）１６とセンタピラ（Ｂピラ）１８との間に形成された開口を開閉するものである（図２及び図３参照）。図４に示されるように、このサイドドア１０は、サイドドア本体１２と、サイドドア本体１２を車室内側から覆う内装部材であるドアトリム１４とを備えて構成されている。
【００１１】
サイドドア本体１２は、アウタパネル（ドアアウタパネル）２０とインナパネル（ドアインナパネル）２２とを有し、アウタパネル２０及びインナパネル２２の周縁部をヘミング加工等によって接合することで中空構造体として構成されている（図４参照）。
【００１２】
アウタパネル２０は、インナパネル２２よりも車外側に配置されて車外に面するパネルで構成されている。このアウタパネル２０は、例えば、アルミニウム合金やマグネシウム等の軽合金材料をプレス加工によって形成されている。
【００１３】
インナパネル２２は、アウタパネル２０よりも車内側に配置されてドアトリム１４と対向する枠部材で構成されている。換言すると、インナパネル２２は、アウタパネル２０とドアトリム１４との間に配置されている。このインナパネル２２は、例えば、アルミニウム合金やマグネシウム等の軽合金材料を鋳造成形して形成されている。アウタパネル２０及びインナパネル２２の材質は、これらに限定されるものではなく、例えば、スチール等の鋼材によって形成してもよい。なお、インナパネル２２については、後記で詳細に説明する。
【００１４】
ドアトリム１４は、車室に面する内装部材であり、インナパネル２２の略全面を覆うように設けられている。ドアトリム１４は、その一部として、後記するドア収納部２４に対応する位置に設けられる収納部インナ２６や（図４参照）、後記するドアスピーカ２８に対応する位置に設けられるスピーカグリル３０等を含む（図１参照）。
【００１５】
図１に示されるように、サイドドア１０（ドアトリム１４）の車室内側には、上方から下方に向かって、順に、ドアハンドル３２、アームレスト部３４、ドアスピーカ（スピーカ）２８、ドア収納部（収納部）２４がそれぞれ配置されている。
【００１６】
ドアハンドル３２は、サイドドア本体１２の上部側でその略中央部に配置されている。アームレスト部３４は、ドアハンドル３２の下方側に車両前後方向に沿って配置され、各種スイッチが設けられたスイッチベース３４ａと、アームレスト本体３４ｂとを有する。なお、スイッチベース３４ａやアームレスト本体３４ｂには、例えば、カード等が収納可能な小さな収納部が設けられる場合があるが、これは、本願発明における「収納部」ではない。
【００１７】
ドア収納部２４は、例えば、地図や本等の比較的大きな車載物を収納可能な収納領域Ｒ（図３参照）を有する。ドア収納部２４は、収納領域Ｒに連続し、車両前後方向に長い開口部３６を有する（図１参照）。このドア収納部２４は、ドアトリム１４の一部であり車内側に位置する収納部インナ２６と、車外側に位置しインナパネル２２に装着（締結）される収納部アウタ３８とから構成されている（図４参照）。
【００１８】
図１に示されるように、収納部インナ２６は、車室内側から側面視して、アームレスト部３４から下方に向かって連続する縦壁部２６ａと、車幅前後方向（サイドドア１０の幅方向）に沿って延在し縦壁部２６ａの下端に連続する横壁部２６ｂとを有する。収納部インナ２６は、この縦壁部２６ａ及び横壁部２６ｂによって、開口部３６を囲繞する略Ｌ字状を呈する。
【００１９】
図３に示されるように、収納部アウタ３８は、インナパネル２２と対向する側壁部３８ａと、この側壁部３８ａの周縁から外方向に向かって突出し、図示しないビスを介してインナパネル２２に締結される複数の爪部３８ｂと、側壁部３８ａの周縁から収納部インナ２６側（ドアトリム１４側）に向かって突出する突出壁３８ｃとを有する。なお、側壁部３８ａには、収納部インナ２６側に向かって突出して収納領域Ｒを仕切る複数の仕切り部３８ｄと、アウタパネル２０側に向かって窪む凹部からなり。例えば、ペットボトル等を収納可能な収納凹部３８ｅとが設けられている。
【００２０】
図１に戻り、ドアスピーカ２８は、ドア収納部２４より上方に位置し、且つ、サイドドア１０の上下方向（鉛直上下方向と一致）における中央近傍に配置されている。換言すると、ドアスピーカ２８とドア収納部２４とは、従来のような鉛直上下方向で略同じ高さ位置ではなく、鉛直上下方向で異なる高さ位置、つまり、鉛直上下方向の位置関係に配置されている。
【００２１】
また、ドアスピーカ２８は、図示しないスピーカ本体を有し、このスピーカ本体は、インナパネル２２のスピーカ取付部４０に取り付けられて固定され、車内側に配置されたドアトリム１４の一部を構成するスピーカグリル３０によって被覆されている。
【００２２】
なお、スピーカ本体は、その一例として、図示しないスピーカボックスと、図示しないフレームと、フレームに支持された図示しないコーン紙と、コーン紙を振動させる図示しないボイスコイル（磁石）とを備えて構成され、ボイスコイルがコーン紙を振動させることで発音するようになっている。
【００２３】
図２に示されるように、さらに、サイドドア１０を構成するインナパネル２２は、車幅方向の内外を貫通する第１作業孔４２、第２作業孔４４及び第３作業孔４６と、第１作業孔４２と第２作業孔４４との間に位置し第１作業孔４２と第２作業孔４４とを仕切る（架け渡す）橋部４８と、ドアスピーカ２８が取り付けられるスピーカ取付部４０とを備えている。なお、スピーカ取付部４０は、インナパネル２２の車幅方向の内外を貫通する貫通孔である略円形状の開口によって構成されている。
【００２４】
第１作業孔４２は、第３作業孔４６よりも車両前方側で、第２作業孔４４の鉛直上方側に位置するように配置されている。第２作業孔４４は、第３作業孔４６よりも車両前方側で、第１作業孔４２の鉛直下方側に位置するように配置されている。第３作業孔４６は、第１作業孔４２及び第２作業孔４４よりも車両後方に位置し、第１作業孔４２及び第２作業孔４４よりも大きな孔部によって形成されている。換言すると、第３作業孔４６は、橋部４８を挟んでスピーカ取付部４０と反対側（車両後方側）に配置されている共に、橋部４８の延長線Ａ（図２の太線破線参照）上に配置されている。
【００２５】
スピーカ取付部４０は、第１作業孔４２、第２作業孔４４、及び、橋部４８にそれぞれ近接する位置に配置されている。また、スピーカ取付部４０は、橋部４８の車両前方に向かって延在する延長線Ａ（図２の太線破線参照）上に位置するように配置されている。
【００２６】
橋部４８には、脆弱部が設けられている。この脆弱部は、図示しない止水部材が取り付けられる段部である止水ビード５０で構成されている。この止水ビード５０は、橋部４８とスピーカ取付部４０とを結ぶ仮想線Ａ（図２の延長線Ａと一致）を横切るように配置されている。止水ビード５０は、図２に示されるように、第１作業孔４２、第２作業孔４４、第３作業孔、及び、橋部４８の車両後方の一部を、概略囲繞するように形成されている。図示しない止水部材を設けることにより、第１〜第３作業孔４２、４４、４６からインナパネル２２とドアトリム１４との間の空間部への水の進入が阻止される。
【００２７】
なお、本実施形態では、図１に示されるように、ドアスピーカ２８をドア収納部２４の上方に配置しているが、これに限定されるものでない。例えば、上下関係を逆転させて、ドアスピーカ２８をドア収納部２４より下方に配置し、且つ、ドアスピーカ２８をサイドドア１０の上下方向における中央近傍に配置するようにしてもよい。
【００２８】
本実施形態に係る車両用ドア構造が適用されたサイドドア１０は、基本的に以上のように構成されるものであり、次にその作用効果について説明する。
【００２９】
本実施形態では、鉛直上下方向において、ドアスピーカ２８をドア収納部２４の上方に配置している。これにより、本実施形態では、ドアスピーカ２８が従来と同等のサイズで取り付けられている場合、サイドドア１０の幅方向においてドア収納部２４がドアスピーカ２８によって規制されることがなく、ドア収納部２４の収納領域Ｒを増大させることができる。この結果、本実施形態では、ドア収納部２４の収納容積を十分に確保することができ、利便性を向上させることができる。なお、サイドドア１０の幅方向とは、車両前後方向と一致する。
【００３０】
本実施形態では、ドアスピーカ２８をサイドドア１０の上下方向における中央近傍に配置している。これにより、本実施形態では、例えば、ドアスピーカ２８をサイドドア１０の上下方向の端部（アウタパネル２０とインナパネル２２との接合部位）に配置した場合と比較して、上下方向の端部の硬い部位を通じての振動が伝搬しにくくなり、サイドドア１０全体の振動を抑制することができる。
【００３１】
また、本実施形態では、スピーカ取付部４０を第１作業孔４２と第２作業孔４４と橋部４８とに近接配置し、且つ、スピーカ取付部４０を橋部４８の延長線Ａ上に配置している。これにより、本実施形態では、ドアスピーカ２８から発生した振動が、スピーカ取付部４０に伝達され、続いて、集中的に橋部４８を通過した後、サイドドア１０全体に向かうようにすることができる。この結果、本実施形態では、剛性・強度の高いサイドドア１０の上下方向の端部ではなく、剛性・強度の低い橋部４８に振動を集中させることで、サイドドア１０全体の振動を抑制することができる。
【００３２】
さらに、本実施形態では、橋部４８に脆弱部を設けている。これにより、本実施形態では、スピーカ取付部４０に伝達された振動を、脆弱部として機能する橋部４８で減衰させることができる。この結果、本実施形態では、橋部４８からスピーカ取付部４０側、及び、橋部４８からその反対側（サイドドア全体側）に振動が広がりにくくなり、結果的にサイドドア１０全体の振動を抑制することができる。
【００３３】
さらにまた、本実施形態では、脆弱部として機能する止水ビード５０を、橋部４８とスピーカ取付部４０とを結ぶ仮想線Ａを横切るように配置している。これにより、本実施形態では、止水ビード５０を境界として振動を減衰させることができる。この結果、本実施形態では、橋部４８からスピーカ取付部４０側、及び、橋部４８からその反対側（サイドドア全体側）に振動が広がりにくくなり、結果的にサイドドア１０全体の振動を抑制することができる。加えて、本実施形態では、振動減衰手段として止水部材を取り付ける止水ビード５０を有効利用することで、新たな部品や構造が不要となり、製造コストが高騰することを抑制することができる。
【００３４】
さらにまた、本実施形態では、第３作業孔４６を、橋部４８を挟んでスピーカ取付部４０と反対側で、且つ、橋部４８の車両後方側への延長線Ａ上に配置している。これにより、本実施形態では、橋部４８を超えて第３作業孔４６側まで振動が伝搬された場合、伝搬された振動を第３作業孔４６によって遮断することができる。この結果、本実施形態では、サイドドア１０全体の振動を抑制することができる。
【００３５】
さらにまた、例えば、上下関係を逆転させて、ドアスピーカ２８をドア収納部２４より下方に配置し、且つ、ドアスピーカ２８をサイドドア１０の上下方向における中央近傍に配置した場合であっても、本実施形態と同様の上記した作用効果を得ることができる。
【符号の説明】
【００３６】
１０    サイドドア（ドア）
２４    ドア収納部（収納部）
２８    ドアスピーカ（スピーカ）
４０    スピーカ取付部
４２    第１作業孔
４４    第２作業孔
４６    第３作業孔
４８    橋部
５０    止水ビード
Ｒ      収納領域
Ａ      延長線、仮想線
【図１】
2018090149.tif 000003
【図２】
2018090149.tif 000004
【図３】
2018090149.tif 000005
【図４】
2018090149.tif 000006